(57)【特許請求の範囲】
【請求項１】
作動油を送出する油圧ポンプと、
前記油圧ポンプが作動油を吸入する吸入口と、
前記油圧ポンプに着脱可能であって前記吸入口を内包する一体型タンクと、
前記吸入口の周囲に設けられたフランジ取付面と、
を備え、
前記吸入口には、前記一体型タンクを使用するときにフィルターを取り付けるための雌ネジが形成されていて、
前記フランジ取付面には、前記一体型タンク以外の別置きタンクを前記吸入口に連結する吸入配管のフランジを取付可能であることを特徴とするタンク一体型ポンプ。
【発明の詳細な説明】
【技術分野】
【０００１】
本発明は、タンクと一体化されたタンク一体型ポンプに関する。
【背景技術】
【０００２】
従来から、産業用機械等の油圧源として用いられるポンプと、作動油を貯留するタンクとを一体化したタンク一体型ポンプが知られている（例えば特許文献１）。特許文献１のタンク一体型ピストンポンプでは、ポンプの左右方向にタンクが配置されている。特許文献１によれば、前ケースを径方向に拡大してポンプケースとタンク外周壁とを兼用し、加えて後フランジに後ケースを加えてタンク容量を確保することにより、ポンプの形状、構造を簡単にし、容量を大きくし、さらにポンプケースの厚みを薄く軽量化するとともに、タンク内の作動油の白濁を防止できると述べている。
【先行技術文献】
【特許文献】
【０００３】
【特許文献１】特開２００５−３６７４４号公報
【発明の概要】
【発明が解決しようとする課題】
【０００４】
特許文献１に記載のタンク一体型ポンプにおいては、ポンプ容量の増大を目指している。しかしながら、ピストンのシリンダのサイズが大きくなると作動油の送出量がさらに増大するため、一体型タンクでは容量が不足することがある。このような場合、別置きの大容量のタンクを使用することとなるため、油圧ポンプと一体に設けられているタンクは不要となる。するとタンクによって余計なスペースが消費されてしまうか、またはタンク一体型ではないポンプに交換する必要がある。
【０００５】
そこで本発明は、一体型タンクと別置きのタンクの切替を容易にし、シリンダのサイズや設備によらず省スペース化を図ることが可能なタンク一体型ポンプを提供することを目的としている。
【課題を解決するための手段】
【０００６】
上記課題を解決するために、本発明にかかるタンク一体型ポンプの代表的な構成は、作動油を送出する油圧ポンプと、油圧ポンプが作動油を吸入する吸入口と、油圧ポンプに着脱可能であって吸入口を内包する一体型タンクと、吸入口の周囲に設けられたフランジ取付面と、備え、吸入口には、一体型タンクを使用するときにフィルターを取り付けるための雌ネジが形成されていて、フランジ取付面には、一体型タンク以外の別置きタンクを吸入口に連結する吸入配管のフランジを取付可能であることを特徴とする。
【０００７】
油圧ポンプは、吸入口を取り囲むように、一体型タンクを取り付けるための段差を有することが好ましい。
【発明の効果】
【０００８】
本発明によれば、一体型タンクと別置きのタンクの切替を容易にし、シリンダのサイズや設備によらず省スペース化を図ることが可能なタンク一体型ポンプを提供することができる。
【図面の簡単な説明】
【０００９】
【図１】タンク一体型ポンプの概略構成を説明する図である。
【図２】ポンプの本体を説明する図である。
【図３】一体型タンク１３０以外の別置きタンクを接続した状態を説明する図である。
【発明を実施するための形態】
【００１０】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示または説明を省略する。
【００１１】
図１は、本実施形態にかかるタンク一体型ポンプを説明する図であって、図１（ａ）は外観図、図１（ｂ）は断面図である。図１に示すように、本実施形態のタンク一体型ポンプ１００は、油圧ポンプ１１０、ボディヘッド１２０、一体型タンク１３０、およびエンドカバー１４０を含んで構成される。
【００１２】
油圧ポンプ１１０は、ボディヘッド１２０に設けられた吸入口１２２から作動油を吸入する。吸入口１２２より吸入された作動油は吸入管路１２４を通り、ポンプ内部に供給される。油圧ポンプ１１０から吐出された作動油は、ボディヘッド１２０に設けられた排出口１２６から油圧機器に送出される。
【００１３】
一体型タンク１３０は、ボディヘッド１２０を介して油圧ポンプ１１０に着脱可能に取り付けられている。一体型タンク１３０は概ね筒形の部材（円筒形でも角筒形でもよい）であり、吸入口１２２を内包するように（吸入口１２２にかぶさるように）配置されている。一体型タンク１３０は一端をボディヘッド１２０によって、他端をエンドカバー１４０によって封止されている。エンドカバー１４０はボディヘッド１２０と例えば４本の取付ボルト１４２によって締結されている。
【００１４】
図２はポンプの本体を説明する図であって、図２（ａ）はタンクを取り外した分解図、図２（ｂ）はタンクを取り外した状態のポンプの断面図、図２（ｃ）はポンプの右側面図である。
【００１５】
図２（ａ）に示すように、取付ボルト１４２を取り外すと、エンドカバー１４０および一体型タンク１３０をボディヘッド１２０から取り外すことができる。すると、一体型タンク１３０に内包されていた吸入口１２２が露出する。
【００１６】
ボディヘッド１２０には、一体型タンク１３０を取り付けるための段差１２８が形成されている。段差１２８の外周面には溝１２８ａが形成されていて、一体型タンク１３０を取り付けた際の気密性を保つためのＯリング１２９が取り付けられる。段差１２８は吸入口１２２を取り囲む配置になっている。これにより、一体型タンク１３０を取り付けた場合には吸入口１２２が一体型タンク１３０に内包される。
【００１７】
ここで図２（ｂ）に示すように、吸入口１２２の内面には雌ネジ１２２ａが切られている。一方、図１（ｂ）に示すように吸入配管１５０の先端の外面には雄ネジ１５０ａが切られている。そして、一体型タンク１３０を使用するときには、図１（ｂ）に示すように吸入口１２２の雌ネジ１２２ａに吸入配管の雄ネジ１５０ａを螺合することによって、吸入配管１５０およびフィルター１５２が着脱可能に取り付けられる。フィルター１５２はタンク内のコンタミが吸入口１２２に進入することを防止する。
【００１８】
また図２（ｃ）に示すように、吸入口１２２の周囲にはフランジ取付面１６０が形成されている。フランジ取付面１６０は平坦面であって、例えば４本のボルト穴１６２を備えている。
【００１９】
図３は一体型タンク１３０以外の別置きタンクを接続した状態を説明する図であって、図３（ａ）は外観図、図３（ｂ）は吸入配管１７０およびフランジ１８０を示す図である。図３（ａ）に示すように、別置きタンク１９０用の吸入配管１７０は、元端にフランジ１８０を備え、先端を別置きタンク１９０に連結されている。図３（ｂ）に示すように、フランジ１８０は例えば４本のボルト穴１８２を備えていて、ボルト１８４によってボディヘッド１２０のフランジ取付面１６０に着脱可能に取り付けられる。
【００２０】
すなわち、タンク一体型ポンプ１００におけるボディヘッド１２０の吸入口１２２を、従来通りの一体型タンク１３０からボディヘッド１２０の吸入管路１２４に作動油が流れる吸入口１２２としても、別置きタンク１９０の吸入配管１７０を接続する吸入口１２２としても使用することができる。
【００２１】
上記構成によれば、一体型タンクと別置きのタンクの切替を容易にし、いずれの場合にもポンプ１１０およびボディヘッド１２０を共用することにより、ポンプ１１０のシリンダのサイズや設備によらず省スペース化を図ることが可能なタンク一体型ポンプ１００を提供することができる。
【００２２】
以上、添付図面を参照しながら本発明の好適な実施例について説明したが、本発明は斯かる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００２３】
本発明は、タンクと一体化されたタンク一体型ポンプとして利用することができる。
【符号の説明】
【００２４】
１００…タンク一体型ポンプ、１１０…ポンプ、１２０…ボディヘッド、１２２…吸入口、１２２ａ…雌ネジ、１２４…吸入管路、１２６…排出口、１２８…段差、１２８ａ…溝、１２９…Ｏリング、１３０…タンク、１４０…エンドカバー、１４２…取付ボルト、１５０…吸入配管、１５０ａ…雄ネジ、１５２…フィルター、１６０…フランジ取付面、１６２…ボルト穴、１７０…吸入配管、１８０…フランジ、１８２…ボルト穴、１８４…ボルト、１９０…別置きタンク
【要約】
【課題】一体型タンクと別置きのタンクの切替を容易にし、シリンダのサイズや設備によらず省スペース化を図ることが可能なタンク一体型ポンプを提供する。
【解決手段】本発明にかかるタンク一体型ポンプ１００の代表的な構成は、作動油を送出する油圧ポンプ１１０と、油圧ポンプ１１０が作動油を吸入する吸入口１２２と、油圧ポンプ１１０に着脱可能であって吸入口を内包する一体型タンク１３０と、吸入口１２２の周囲に設けられたフランジ取付面１６０と、備え、吸入口１２２には、一体型タンク１３０を使用するときにフィルター１５２を取り付けるための雌ネジ１２２ａが形成されていて、フランジ取付面１６０には、一体型タンク以外の別置きタンク１９０を吸入口１２２に連結する吸入配管１７０のフランジ１８０を取付可能であることを特徴とする。
【選択図】図１【図１】
0006944122.tif 000002
【図２】
0006944122.tif 000003
【図３】
0006944122.tif 000004